(57)【要約】【課題】圧力スイッチの筐体に衝撃が加わったときに破断して外部から容易に視認可能な表示部を設け、内蔵されているスナップアクション機構に不具合を生じた可能性があることを知らせるようにした圧力スイッチを提供する。【解決手段】中空の筐体１Ａ’の内部を仕切って二つの圧力室５，６を形成しこれらの圧力室の差圧に応じた作動力を発生する外力伝達機構７と、二つの圧力室のそれぞれに対応させて筐体に設けられた気体導入孔２ａ，３ａと、何れかの圧力室に収容され外力伝達機構７からの作動力を受けて動作するスナップアクション機構４Ａからなるスイッチ４を備えた圧力スイッチ１’において、スナップアクション機構４Ａに不具合を生じる程度の衝撃を筐体１Ａ’が受けたときに破断して外部からこの破断状態を視認可能とする表示部３０を筐体１Ａ’の外側の一部に設けた構成としたものである。【選択図】図５
2009140728.tif 000002
【特許請求の範囲】
【請求項１】
中空の筐体と、
前記筐体の内部を仕切って二つの圧力室を形成しこれらの圧力室の差圧に応じた作動力を発生する外力伝達機構と、
前記二つの圧力室のそれぞれに対応させて筐体に設けられた気体導入孔と、
前記何れかの圧力室に収容され前記外力伝達機構からの作動力を受けて動作するスナップアクション機構と、
前記スナップアクション機構により開閉される電気接点と、
前記電気接点の開閉を筐体の外部に伝達する導電部材を備えた圧力スイッチにおいて、
前記筐体のスナップアクション機構に不具合を生じる程度の衝撃を前記筐体が受けたときに破断して外部からこの破断状態を視認可能とする表示部を前記筐体の外側の一部に設けたことを特徴とする圧力スイッチ。
【請求項２】
前記表示部は、前記筐体の外側面に垂設されたピン状の突起部と、前記突起部の外側に同心的に装着されたコイルスプリングと、環状をなし前記コイルスプリングの上方から前記突起部に嵌合されて前記コイルスプリングを圧縮しかつ前記突起部の先端部を押し拡げて形成した傘部により前記コイルスプリングを圧縮した状態に保持するワッシャとからなることを特徴とする、請求項１に記載の圧力スイッチ。
【請求項３】
前記表示部は、前記筐体が前記衝撃を受けたときに前記突起部の先端に形成した傘部が破断して前記ワッシャが前記コイルスプリングのばね力により前記筐体から外れることを特徴とする、請求項１又は請求項２に記載の圧力スイッチ。
【請求項４】
前記筐体の外側には前記コイルスプリング及びワッシャを囲繞するように円筒部が形成されていることを特徴とする、請求項２又は請求項３に記載の圧力スイッチ。
【発明の詳細な説明】
【技術分野】
【０００１】
本発明は、圧力スイッチに関し、特にスナップアクション機構を用いた圧力スイッチに関する。
【背景技術】
【０００２】
給湯器やボイラ等のガスが燃焼するときには空気ファンが回転して排気ガスを排出するが、故障等により空気ファンが回転せず停止した状態のままガスが燃焼した場合、不完全燃焼を起こして一酸化炭素が発生するおそれがある。このため、空気ファンからの送風を検出するべく風圧を外力として伝達し、接点の接触動作を行う圧力スイッチが提案されている（例えば、特許文献１参照）。
【０００３】
図１は、上記圧力スイッチの断面図を示し、圧力スイッチ１は、熱可塑性樹脂部材からなり中空の筐体１Ａの下部を形成する有底円筒形状のハウジング２、熱可塑性樹脂部材からなりハウジング２に装着固定されて中空の筐体１Ａの上部を形成する有底円筒形状のカバー３、ハウジング２に収容されたスナップアクション機構４Ａからなるスイッチ４、ハウジング２とカバー３との間に介挿されてスイッチ４が収容されたハウジング２側に低圧室５をカバー３側に高圧室６を気密に画成し、かつスイッチ４を作動させるための外力伝達機構としてのダイアフラム７等により構成されている。
【０００４】
そして、低圧室５がハウジング２に形成された気体導入孔としてのポート２ａを介して大気に開放され、高圧室６がカバー３に形成された気体導入孔としてのポート３ａを介して前記給湯器の排気管（煙道）に連通接続され、これら低圧室５と高圧室６の圧力差（差圧）に応じてダイアフラム７によりスイッチ４をオン／オフさせ、前記空気ファンの回転／回転停止を検出するようになっている。
【０００５】
スイッチ４は、主板１１、板ばね１２、ＣＯＭ（Common）端子１３、ＮＯ（Normally Open）端子１４、ＮＣ（Normally Close）端子１５等により構成されている。これらの端子１３〜１５の図示しない導電部材としての接続部はハウジング２の外部に延出されて外部の機器に接続される。主板１１は、ＣＯＭ端子１３に電気的及び機械的に接続されると共にハウジング２に固定されている。
【０００６】
主板１１は、図２に示すようにばね性を有する長方形状の薄板金属板からなり、中心線上で相互に対向する位置に第１、第２の二つの可動部２１，２２を備えている。第１の可動部２１の基端部と主板１１の端部１１ａ、第２の可動部２２の基端部と主板１１の端部１１ｂは、それぞれ弾性変形部２３，２４により連結されている。そして、端部１１ａと１１ｂの両側部は、連結部１１ｃで連結されており、可動部２１，２２を取り囲む枠のような形状をなしている。
【０００７】
第１の可動部２１は、縦長の台形状をなし撓み易い弾性変形部２３に比べて大きな剛体のように機能する。可動部２１の先端部２１ａの両側に板ばね１２と係合するための切欠部２１ｂが形成されており、上面略中央にダイアフラム７のプランジャ受け部２１ｃが窪んで形成されている。
【０００８】
第２の可動部２２は、帯状の弾性変形部２４の先端部より前に位置する横長の長方形状をなし、撓み易い弾性変形部２４に比べて大きな剛体のように機能する。可動部２２は、上下両面の略中央位置に図１に示したＮＯ端子１４、ＮＣ端子１５の接点１４ａ，１５ａと接触するための電気接点２５，２６が設けられている。そして、可動部２２の先端部２２ａの両側に板ばね１２と係合するための切欠部２２ｂが形成されている。
【０００９】
板ばね１２は、図３に示すように長方形状をなし、両端部１２ａ，１２ｂ近傍の両側部１２ｃに可動部２１,２２の切欠部２１ｂ，２２ｂと係合可能な切欠部１２ｄ，１２ｅが形成されている。また、板ばね１２の長手方向の中央部１２ｆを挟んで一対の孔部１２ｇが形成されている。
【００１０】
板ばね１２は、図２に示すように可動部２１，２２の先端部２１ａ，２２ａ間に介在される。可動部２１は、図３に２点鎖線で示すように先端部２１ａを板ばね１２の一側の孔部１２ｇに挿通し、切欠部２１ｂを板ばね１２の切欠部１２ｄに係合する。可動部２２は、図４に示すように先端部２２ａを板ばね１２の他側の孔部１２ｇに挿通し、切欠部２２ｂを板ばね１２の切欠部１２ｅに係合する。尚、図４は、可動部２２の切欠部２２ｂと板ばね１２の切欠部１２ｅとの係合を分かり易く示したもので板ばね１２を平板状に描いてある。
【００１１】
図１に戻り、可動部２１は、荷重調整用の止めねじ１７により水平位置よりも斜め上方に向けて傾斜しており、可動部２２よりも上方に位置している。ダイアフラム７は、プランジャ７ａの先端部が可動部２１のプランジャ受け部２１ｃに当接しており、低圧室５と高圧室６の圧力差（差圧）が所定の設定圧以下の場合には定常状態（初期位置）にある。この状態においてスイッチ４は、板ばね１２がばね力により可動部２２を斜め下方に押し下げて接点２５をＮＯ端子１４の電気接点１４ａから離隔させ、接点２６をＮＣ端子１５の電気接点１５ａに接触させてスイッチ・オフになっている。
【００１２】
前記給湯器の使用時に空気ファンが回転すると高圧室６に風圧が供給されて高圧室６の圧力が高くなり、低圧室５との圧力差が前記所定の設定圧を超えるとダイアフラム７が低圧室５側に撓み、プランジャ７ａがスイッチ３の可動部２１を押し下げて弾性変形部２３を撓ませる。そして、可動部２１の変位が動作点を超えると板ばね１２が弾性変形部２４のばね力に抗して可動部２２を急速に押し上げ、電気接点２５が電気接点１４ａに接触し、電気接点２６が電気接点１５ａから離隔してスイッチ４がオンとなる。即ち、スイッチ４は、スナップアクションにより急速に反転動作してオフからオンに切り換わる。
【００１３】
前記空気ファンの回転が停止すると、高圧室６に風圧が供給されなくなり、低圧室５との圧力差がゼロとなり、これに伴いダイアフラム７が定常状態（初期位置）に戻り、弾性変形部２３の撓みが小さくなる。そして、可動部２１の変位が動作点を超えると板ばね１２が急速に可動部２２を押し下げて電気接点２５を電気接点１４ａから離隔させ、電気接点２６を電気接点１５ａに接触させてスイッチ４をオフにする。即ち、スイッチ４は、スナップアクションにより急速に復帰動作してオンからオフに切り換わる。このようにして、圧力スイッチ１は、空気ファンの回転／回転停止を迅速に検出する。
【特許文献１】ＷＯ２００６／０９０７９７号公報（６−１０頁、図１）
【発明の開示】
【発明が解決しようとする課題】
【００１４】
しかしながら、上述した圧力スイッチにおいてスナップアクション機構４Ａは、筐体１Ａに何らかの外力（衝撃）が加わった場合、例えば組立ラインにおける組立時、或いは給湯器やボイラ等への取り付けやメンテナンスの際に誤って床面に落としてしまったような場合、外観上は特に損傷が見られないにも拘わらずスナップアクション機構４Ａを構成している主板１１の可動部２１，２２と板ばね１２との係合が外れる虞があり、スイッチ４がオン・オフ機能を失う虞がある。特に、圧力スイッチが工場等のコンクリート床に落下した場合にはスイッチの機能を失うことが多い。
【００１５】
また、可動部２１は、弾性変形部２３のばね力が比較的強く、定常状態（初期位置）においてプランジャ７ａに当接して係止されていること等により変位し難く、外力（衝撃）が加わっても板ばね１２との係合が外れ難い。一方、可動部２２は、接点の切り換えを容易にする（スナップアクションを容易にする）ために弾性変形部２４のばね力が弾性変形部２３のばね力よりも弱く形成されていることにより変位し易く、僅かな外力（衝撃）が加わっても板ばね１２との係合が外れたり、或いは片側の係合が外れて引っ掛かったりする虞がある。
【００１６】
そして、板ばね１２の端部１２ｂが可動部２２から外れて中途半端な状態で可動部２２に引っ掛かっているような場合、スイッチとしてのオン・オフ機能を有してはいるものの板ばね１２のばね力が低下してしまうために動作点が低下して正常に動作し難くなる虞がある。
【００１７】
この結果、圧力スイッチ1 は、高圧室６の圧力（風圧）が低下して所定の圧力（例えば、２００ｐｓ）に達したときに反転動作（オフ）すべきところ、これよりも低い圧力（例えば、１８０ｐｓ）で反転動作（オフ）することとなり、その分だけ動作時間が遅れることになる。圧力スイッチ１の動作時間が遅れると給湯器を使用中に空気ファンが停止した場合、高圧室６の圧力（風圧）が前記設定圧（例えば、２００ｐｓ）よりも低い圧力（風圧）（例えば、１８０ｐｓ）まで作動しなくなり、その差圧分だけ一酸化炭素が発生し易くなる虞がある。
【００１８】
また、板ばね１２の端部１２ｂを可動部２２の切欠部２２ｂから外れ難くするべく図４に示す可動部２２の切欠部２２ｂを深く形成すると、当該可動部２２の製造が困難になるという問題がある。
【００１９】
本発明の目的は、圧力スイッチの筐体に衝撃が加わったときに破断して外部から容易に視認可能な表示部を設け、内蔵されているスナップアクション機構に不具合を生じた可能性があることを知らせるようにした圧力スイッチを提供することにある。
【課題を解決するための手段】
【００２０】
上述した課題を解決するために、本発明の請求項１に係る圧力スイッチは、
中空の筐体と、
前記筐体の内部を仕切って二つの圧力室を形成しこれらの圧力室の差圧に応じた作動力を発生する外力伝達機構と、
前記二つの圧力室のそれぞれに対応させて筐体に設けられた気体導入孔と、
前記何れかの圧力室に収容され前記外力伝達機構からの作動力を受けて動作するスナップアクション機構と、
前記スナップアクション機構により開閉される電気接点と、
前記電気接点の開閉を筐体の外部に伝達する導電部材を備えた圧力スイッチにおいて、
前記筐体のスナップアクション機構に不具合を生じる程度の衝撃を前記筐体が受けたときに破断して外部からこの破断状態を視認可能とする表示部を前記筐体の外側の一部に設けたことを特徴としている。
【００２１】
圧力スイッチは、二つの圧力室の差圧が無いときは外力伝達機構が定常状態にあり、作動力を発生しない。そして、電気接点が、例えばオフになっている。二つの圧力室に差圧が発生すると外力伝達機構が作動力を発生してスナップアクション機構に加え当該スナップアクション機構が動作点を超えると急速に反転して電気接点がオンになる。
【００２２】
この圧力スイッチを組立ラインにおける組立時、或いは給湯器やボイラ等への取り付けやメンテナンスの際に誤って床面に落としてしまったような場合、圧力スイッチの筐体が衝撃を受けて外観上は特に損傷が見られないにも拘わらずスナップアクション機構に不具合を来たし、スイッチがオン・オフ機能を失う虞がある。特に、圧力スイッチが工場等のコンクリート床に落下した場合にはスイッチの機能を失うことが多い。そして、筐体がスナップアクション機構に不具合を生じるような衝撃、例えばスイッチの作動不良や特性が変化するような衝撃を受けた場合、表示部が破断し、この破断した状態が外部から視認可能となる。これにより、内蔵されているスナップアクション機構により構成されたスイッチの不良或いは特性変化を推認することが可能となり、この圧力スイッチの使用を止めることができ、信頼性の向上を図ることができる。
【００２３】
また、本発明の請求項２に係る圧力スイッチは、請求項１に記載の圧力スイッチにおいて、
前記表示部は、前記筐体の外側面に垂設されたピン状の突起部と、前記突起部の外側に同心的に装着されたコイルスプリングと、環状をなし前記コイルスプリングの上方から前記突起部に嵌合されて前記コイルスプリングを圧縮しかつ前記突起部の先端部を押し拡げて形成した傘部により前記コイルスプリングを圧縮した状態に保持するワッシャとからなることを特徴としている。
【００２４】
筐体の外側面に垂設された突起部にコイルスプリングを外装し、突起部の先端にコイルスプリングを圧縮しながらワッシャを嵌挿して突起部の先端部を押し広げて傘部を形成し、コイルスプリングを圧縮した状態でワッシャを保持している。この状態においてコイルスプリングは、ワッシャを介して傘部の下面にばね力を付与している。そして、筐体に前記衝撃が加わるとコイルスプリングのばね力と衝撃力とにより傘部が突起部との付け根部分近傍から破断し、コイルスプリングのばね力により傘部やワッシャが飛散する。これにより、作業者は、表示部が破断したことを視認することができる。
【００２５】
また、本発明の請求項３に係る圧力スイッチは、請求項１又は請求項２に記載の圧力スイッチにおいて、
前記表示部は、前記筐体が前記衝撃を受けたときに前記突起部の先端に形成した傘部が破断して前記ワッシャが前記コイルスプリングのばね力により前記筐体から外れることを特徴としている。
【００２６】
表示部のコイルスプリングは、圧縮された状態で筐体の外側面とワッシャとの間に縮設されており、ワッシャは、傘部により保持されている。この状態においてコイルスプリングは、ワッシャを介して傘部の下面にばね力を付与している。そして、筐体に前記衝撃が加わるとコイルスプリングのばね力と衝撃力とにより傘部が突起部との付け根部分から破断して飛散する。このときワッシャやコイルスプリングも筐体から外れて飛散する。これにより、作業者は、飛散した傘部やワッシャ、コイルスプリング等を視認することができる。また、作業者は、ワッシャやコイルスプリングが床に落下したときや周囲の物に衝突したときの落下音や衝突音により聴覚的にも確認することもできる。
【００２７】
また、本発明の請求項４に係る圧力スイッチは、請求項２又は請求項３に記載の圧力スイッチにおいて、
前記筐体の外側には前記コイルスプリング及びワッシャを囲繞するように円筒部が形成されていることを特徴としている。
【００２８】
表示部を実質的に形成するコイルスプリングやワッシャを筐体の外側面に形成した円筒部により囲繞することにより、搬送時や保管時等において不要な外力が作用して破損したり傷ついたりすることを防止することができると共に、外観的にも見栄えの向上を図ることができる。
【発明の効果】
【００２９】
本発明によると、圧力スイッチの筐体に衝撃が加わった場合、例えば組付時や現場でのメンテナンス時に不用意に落下させて筐体に衝撃が加わった場合等に表示部が破断することで、筐体に衝撃が加わったことを外部から容易に視認することができる。これにより、内蔵されているスナップアクション機構を使用したスイッチが作動不良を起こしたり或いは特性変化を起こしたりする可能性のあることを認識することが可能となる。そして、かかる圧力スイッチの使用を防止することができ、信頼性の向上が図られる。また、構成が簡単であり、安価に提供することが可能である。
【発明を実施するための最良の形態】
【００３０】
以下、本発明の一実施形態に係る圧力スイッチについて図面に基づいて説明する。図５は、本発明に係る圧力スイッチの一例を示す断面図、図６は、図５に示した筐体の表示部の拡大図、図７は、図６に示した表示部の組立説明図である。尚、図５において図１と同一又は相当する構成要素には同一又は相当する符号を付してある。また、図５に示す圧力スイッチ１’と図１に示した圧力スイッチ１との相異は、圧力スイッチ１’の筐体１Ａ’の上部を形成するカバー３’と圧力スイッチ１のカバー３との相異のみである。従って、以下にカバー３’についてのみ説明し、その他の部位の構成及び作用等については説明を省略する。
【００３１】
図５に示すように圧力スイッチ１’の筐体１Ａ’の上部を形成するカバー３’は、熱可塑性樹脂部材からなり、カバー３’の外側の一部、例えば上面３ｂ’の中央位置に表示部３０が形成されている。表示部３０は、図６に示すように突起部３１、円筒部３２、コイルスプリング３３及びワッシャ３４からなる。突起部３１は、ピン状の円柱形状をなしておりカバー３’の上面３ｂ’の中央位置に垂設されている。円筒部３２は、突起部３１の外側に同心的に垂設されており、図７に示すように突起部３１よりも僅かに低く形成されている。そして、これらの突起部３１、円筒部３２は、カバー３’の上面３ｂ’に一体に形成されている。
【００３２】
コイルスプリング３３は、内径が突起部３１の外径よりも大径をなし、外径が円筒部３２よりも小径をなし、その自由長が突起部３１の高さと略同じ又は僅かに長く設定されている。このコイルスプリング３３は、突起部３１をその中心にして円筒部３２内に収容され可能とされている。また、ワッシャ３４は、中央の孔３４ａの内径が突起部３１の外径よりも僅かに大径とされ、外径が円筒部３２の内径よりも僅かに小径、かつコイルスプリング３３の外径よりも大径とされており、孔３４ａに突起部３１が嵌挿して円筒部３２内に遊嵌して収容可能とされている。このワッシャ３４は、金属部材により形成されている。ワッシャ３４を金属部材とすることで、後述するようにコンクリート床に落下した際に発生する金属音や周囲の物に衝突したときの衝撃音等により当該ワッシャ３４が飛散したことを聴覚で容易に確認することが可能となる。
【００３３】
コイルスプリング３３は、図６に示すようにその中心に突起部３１が位置した状態で円筒部３２内に遊嵌して収容され、ワッシャ３４がコイルスプリング３３の上方から当該コイルスプリング３３を圧縮しながら中央の孔３４ａに突起部３１を挿通されて円筒部３２内に押し込まれる。次いで、突起部３１のワッシャ３４の孔３４ａから突出した先端部を熱変形させて（加熱しながら押し広げて）傘部３１ａを形成する。この傘部３１ａは、ワッシャ３４の孔３４ａよりも大径かつ当該ワッシャ３４の外径よりも小径とされ、かつ上方から見て円形をなし、側方から見て図６に示すように略平らに形成されている。そして、傘部３１ａの上面３１ｂが円筒部３２の上端面３２ａよりも僅かに内側に位置している。このようにして、圧力センサ１’のカバー３’の上面３ｂ’の中央位置に表示部３０が形成されている。
【００３４】
表示部３０は、図６に示す通常の状態においてコイルスプリング３３が圧縮されており、ワッシャ３４がコイルスプリング３３のばね力により傘部３１ａの下面３１ｂに圧接されている。即ち、傘部３１ａは、下面３１ｂにワッシャ３４を介してコイルスプリング３３のばね力を受けている。そして、ワッシャ３４は、傘部３１ａにより保持されてコイルスプリング３３のばね力により外方に飛び出すことを抑えられている。
【００３５】
また、円筒部３２は、傘部３１ａよりも僅かに高く、かつコイルスプリング３３、ワッシャ３４を囲繞していることにより、これらを保護している。即ち、傘部３１ａ、ワッシャ３４、コイルスプリング３４等に不要な外力、例えば搬送時や保管時等における製品同士の干渉等の不要な外力が作用して傷が付いたり破損したりすることを防止すると共に、外観上の見栄えを良くしている。
【００３６】
作業者が圧力センサ１’を、例えば給湯器やボイラ等への取り付けやメンテナンスの際に誤ってコンクリート床に落としてしまい図８に示すように筐体１Ａ’、即ちカバー３’に所定値以上の衝撃Ｆが加わった場合、上述したようにワッシャ３４を介して傘部３１ａに付与されているコイルスプリング３３のばね力により傘部３１ａが付け根部分３１ｃから破断して飛散し、これに伴いワッシャ３４、コイルスプリング３３等が円筒部３２から外方に飛び出して飛散する。
【００３７】
コイルスプリング３３、ワッシャ３４は、金属部材により形成されていることにより、コンクリート床に落下した際に金属音が発生する。従って、作業者は、視覚及び聴覚により表示部３０が破断したことを容易にかつ確実に認識することが可能となる。金属製のワッシャ３４は、樹脂部材等に比べて質量が有り、コンクリート床に限らず木製の床等に落下した場合や周囲の物に衝突した場合でも落下音や衝突音が大きく作業者が聴き取り易い。
【００３８】
上述した筐体に加わる所定値以上の衝撃としては、図５に示すように内蔵されているスナップアクション機構４Ａからなるスイッチ４の動作に不具合を生じる程度の衝撃をいう。具体的には、スナップアクション機構４Ａを構成している主板１１の可動部２１，２２と板ばね１２との係合が外れてスイッチとしてのオン・オフ機能を失った場合、或いは板ばね１２の端部１２ｂが可動部２２から外れて中途半端な状態で可動部２２に引っ掛かりスイッチとしてのオン・オフ機能を有してはいるものの板ばね１２のばね力が低下してしまうために動作点が低下して正常に動作し難くなるような衝撃である。
【００３９】
傘部３１ａが破断する衝撃力は、突起部３１の軸径、傘部３１ａの外形、傘部３１ａの高さ（厚さ）、突起部３１及び傘部３１ａを一体形成するカバー３’の材質、傘部３１ａの破壊強度、コイルスプリング３３のばねセット加重、コイルスプリング３３の重量、ワッシャ３４の重量等により所望の値に設定することが可能である。
【００４０】
圧力センサ１’を高さ１ｍからコンクリートの床に落下させたときの筐体に加わる衝撃は意外に大きく略１０００Ｇ（Ｇは重力加速度）程度である。因みに、突起部３１の軸径φを２ｍｍ、傘部３１ａの外形φを３ｍｍ、傘部３１ａの高さ（厚さ）ｔを０.８ｍｍ、突起部３１と傘部３１ａを一体に形成するカバー３の材質をポリブチレンテレフタレート（ＰＢＴ）とアクリルニトリル・ブタジェン・スチレン樹脂（ＡＢＳ）、傘部３１ａの破壊強度を２５Ｎ、コイルスプリング３３のばねセット加重を１Ｎ、コイルスプリング３３の重量を０.５ｇ、ワッシャ３４の重量を２ｇに設定した場合、圧力センサ１’を約１ｍの高さからコンクリート床上に落下させたとき設定重力加速度が約１０００Ｇとなった。また、傘部３１ａの厚みのバラツキを±０.０５ｍｍとしたときの重力加速度のバラツキは約８００Ｇ〜１２００Ｇであった。そして、圧力センサ１’（製品）に重力加速度１０００Ｇが加わったときに傘部３１ａが破壊した。
【００４１】
従って、作業者がメンテナンスの際に誤って床に圧力センサ１’を落としてしまい筐体に衝撃が加わって表示部３０のワッシャ３４やコイルスプリング３３等が飛散した場合、これらを確実に視認することができ、内蔵されているスナップアクション機構４Ａにより構成されたスイッチ４が作動不良を起したり何らかの不具合を生じたりしている、或いはその可能性があることを推認することが可能となる。これにより、当該圧力センサ１’の使用を止めることができる。
【００４２】
図９は、図６に示した表示部３０の変形例を示す断面図で、傘部３１ａは、下面３１ｂと突起部３１との連設部、即ち付け根部分３１ｃに全周に亘り切欠部（切込部）３１ｄが形成されており、傘部３１ａが付け根部分３１ｃから破断し易くなるようにしたものである。これにより、筐体に加わる衝撃による傘部３１ａの破断、即ち表示部３０の破断を調節することが可能となる。
【００４３】
図１０は、図６に示した表示部３０の変形例を示す断面図で、ワッシャ３４’は、中央部の孔３４ａ’の上面３４ｂ’側の開口端周縁部、即ち傘部３１ａの下面３１ｂに圧接する側の開口端の周縁部を全周に亘り立ち上げて環状の尖鋭なエッジ部３４ｃ’を形成したものである。このようなエッジ部３４ｃ’は、孔３４ａ’を打ち抜く際に容易に形成することができる。ワッシャ３４’は、コイルスプリング３３のばね力によりエッジ部３４ｃ’が傘部３１ａの下面３１ｂの付け根部分３１ｃに全周に亘り食い込み、筐体に衝撃が加わった際に傘部３１ａが付け根部分３１ｃから破断し易くなる。これにより、筐体に加わる衝撃による傘部３１ａの破断、即ち表示部３０の破断を調節することが可能となる。
【００４４】
以上説明したように本実施形態の表示部の変形例によれば、傘部の下面の突起部との付け根部分に全周に亘り、切欠部（切込部）を形成して傘部下面の突起部との付け根部分を破断し易くしたことにより、筐体に加わる衝撃による傘部の破断、即ち表示部の破断を調節することが可能となる。
【００４５】
また、本実施形態の表示部の変形例によれば、ワッシャの中央部の孔の上面側開口端周縁部、即ち傘部の下面と当接する側の開口端周縁部を全周に亘り立ち上げて尖鋭なエッジ部を形成することにより、傘部の下面の突起部との付け根部分が破断し易くなり、筐体に加わる衝撃による傘部の破断、即ち表示部の破断を調節することが可能となる。
【００４６】
尚、上記実施形態においては、表示部３０を筐体１Ａ’の上部を形成するカバー３’の上面３ｂ’の略中央位置に設けた場合について説明したが、これに限るものではなく上面３ｂ’の他の位置に設けても良い。更に、筐体の下部を形成するハウジング２の下面、或いはカバー３’又はハウジング２の外側面に設けても良い。即ち、表示部３０は、圧力スイッチ１’が落下して筐体１Ａ’に衝撃が加わった際に破断して外部から破断した状態を視認可能な部位に設ければ良い。
【００４７】
また、円筒部３２は必ずしも必要としないが、この円筒部３２を設けた方が傘部３１ａ、コイルスプリング３３、ワッシャ３４を有効に保護することができ、これらの傘部３１ａ、ワッシャ３４、コイルスプリング３４等に不要な外力、例えば搬送時や保管時等における製品同士の干渉等の不要な外力が作用して傷が付いたり破損したりすることを防止することができると共に、外観上の見栄えを良くすることができる。
【図面の簡単な説明】
【００４８】
【図１】従来の圧力スイッチの断面図である。
【図２】図１に示した圧力スイッチのスイッチを構成するスナップアクション機構の斜視図である。
【図３】図２に示したスナップアクション機構の板ばねの正面図である。
【図４】図２に示したスナップアクション機構における板ばねと第２の可動部の係合状態の説明図である。
【図５】本発明に係る表示部を設けた圧力スイッチの断面図である。
【図６】図５に示した圧力スイッチの表示部の拡大図である。
【図７】図６に示した表示部の組立説明図である。
【図８】図５に示した圧力センサが落下して筐体に衝撃を受けたときに図６に示した表示部が破断した場合の説明図である。
【図９】図６に示した表示部の変形例を示す断面図である。
【図１０】図６に示した表示部の変形例を示す断面図である。
【符号の説明】
【００４９】
１，１’    圧力スイッチ
１Ａ，１Ａ’    筐体
２    ハウジング
２ａ    ポート（気体導入孔）
３，３’    カバー
３ａ，３ａ’    ポート（気体導入孔）
３ｂ’    上面
４    スイッチ
４Ａ    スナップアクション機構
５    低圧室
６    高圧室
７    ダイアフラム
７ａ    プランジャ
１１    主板
１１ａ，１１ｂ    端部
１１ｃ    連結部
１２    板ばね
１２ａ,１２ｂ    端部
１２ｃ    側部
１２ｄ，１２ｅ    切欠部
１２ｆ    中央部
１２ｇ    孔部
１３    ＣＯＭ端子
１４    ＮＯ端子
１４ａ    電気接点
１５    ＮＣ端子
１５ａ    電気接点
１７    止めねじ
２１    第１の可動部
２１ａ    先端部
２１ｂ    切欠部
２１ｃ    プランジャ受け部
２２    第２の可動部
２２ａ    先端部
２２ｂ    切欠部
２３，２４    弾性変形部
２５，２６    電気接点
３０    表示部
３１    突起部
３１ａ    傘部
３１ｂ    傘部下面
３１ｃ    傘部の付け根部分
３１ｄ    切欠部（切込部）
３２    円筒部
３２ａ    上端面
３３    コイルスプリング
３４，３４’    ワッシャ
３４ａ，３４ａ’    孔部
３４ｂ’    上面
３４ｃ’    エッジ部
【図１】
2009140728.tif 000003
【図２】
2009140728.tif 000004
【図３】
2009140728.tif 000005
【図４】
2009140728.tif 000006
【図５】
2009140728.tif 000007
【図６】
2009140728.tif 000008
【図７】
2009140728.tif 000009
【図８】
2009140728.tif 000010
【図９】
2009140728.tif 000011
【図１０】
2009140728.tif 000012